(57)【要約】【課題】  開口部を全開にしてスムーズに出入ができる。【解決手段】  建物の外壁１の屋外側に外壁１の開口部２の下縁部に沿って設けた下レール枠４の端部をそれぞれ開口部２の側端部より離れる方向に外壁１に沿って連出させる。上下レール枠３、４にそれぞれ複数のサッシ走行レール５を上下レール枠３、４の長手方向に亘って設ける。下レール枠４の複数のサッシ走行レール５間に小隙間６を介して床面用突部７を形成する。下レール枠４のサッシ走行レール５の上端、床面用突部７の上面をそれぞれ開口部２の下表面と略同一高さとする。開口部２の側端部より離れる方向に外壁１に沿って連出した各サッシ走行レール５の連出部分をそれぞれサッシ収納用レール８とする。各サッシ引き戸１２をサッシ収納用レール８に移動させた状態で開口部２を全開させるように構成する。【選択図】図１
2008038477.tif 000002
【特許請求の範囲】
【請求項１】
建物の外壁の屋外側に外壁の開口部の上縁部及び下縁部に沿って上下レール枠を設けると共に、上下レール枠の端部をそれぞれ開口部の側端部より離れる方向に外壁に沿って連出させ、上下レール枠にそれぞれ複数のサッシ走行レールを上下レール枠の長手方向に亘って設け、下レール枠の複数のサッシ走行レール間に小隙間を介して床面用突部を形成し、上記下レール枠のサッシ走行レールの上端、床面用突部の上面をそれぞれ開口部の下表面と略同一高さとし、開口部の側端部より離れる方向に外壁に沿って連出した各サッシ走行レールの連出部分をそれぞれサッシ収納用レールとし、各サッシ走行レールにそれぞれサッシ枠にガラス板のような透光板を取付けたサッシ引き戸をそれぞれ走行自在に取付け、各サッシ引き戸を開口部と対向するように引き出して複数のサッシ引き戸により開口部を閉じ且つ各サッシ引き戸をサッシ収納用レールに移動させた状態で開口部を全開させるように構成して成ることを特徴とする窓装置。
【請求項２】
上下レール枠のサッシ走行レールの外側に複数の網戸走行レールを設けると共に開口部の側端部より離れる方向に外壁に沿って連出した各網戸走行レールの連出部分をそれぞれ網戸収納用レールとし、下レール枠に設けた網戸走行レールの上端とサッシ走行用レールの上端とを略同一高さとし、各網戸走行レールにそれぞれ網戸を走行自在に取付け、各網戸を開口部と対向するように引き出して複数の網戸により開口部を閉じ且つ開口部を全開するように各網戸を網戸収納用レールに収納自在として成ることを特徴とする請求項１記載の窓装置。
【請求項３】
上下レール枠の両端部をそれぞれ開口部の側端部より離れる方向に外壁に沿って連出させ、開口部の両側端部よりそれぞれ離れる方向に外壁に沿って連出した各サッシ走行レールの長手方向の両端部の連出部分をそれぞれサッシ収納用レールとし、一方のサッシ収納用レールに開口部の片側半分を閉じることができる複数のサッシ引き戸を収納自在とすると共に他方のサッシ収納用レールに開口部の他の片側半分を閉じることができる複数のサッシ引き戸を収納自在として成ることを特徴とする請求項１記載の窓装置。
【請求項４】
上下レール枠のサッシ走行レールの外側に複数の網戸走行レールを設けると共に開口部の両側端部より離れる方向に外壁に沿って連出した各網戸走行レールの両端部の連出部分をそれぞれ網戸収納用レールとし、下レール枠における網戸走行レールの上端とサッシ走行用レールの上端とを略同一高さとし、各網戸走行レールにそれぞれ網戸を走行自在に取付け、一方の網戸収納用レールに開口部の片側半分を閉じることができる複数の網戸を収納自在とすると共に他方の網戸収納用レールに開口部の他の片側半分を閉じることができる複数の網戸を収納自在として成ることを特徴とする請求項３記載の窓装置。
【発明の詳細な説明】
【技術分野】
【０００１】
本発明は、窓装置に関するものである。
【背景技術】
【０００２】
従来の窓装置は、建物の外壁の開口部に開口部と同じ大きさの窓枠を取付け、この窓枠の上下の枠部に複数列のサッシ走行レールを設け、各サッシ走行レールにそれぞれサッシ枠にガラス板のような透光板を取付けたサッシ引き戸をそれぞれ走行自在に取付け、複数のサッシ引き戸同士を屋内外方向に重ねることで開口部の一部を開とし、サッシ引き戸の端部同士が屋内外方向に重ねるように重複させることで複数のサッシ引き戸により開口部を閉じるようにしている。
【０００３】
上記のような従来例にあっては、開口部を開とした状態でも開口部の一部に複数のサッシ引き戸が屋内外方向に重なった状態で残り、開口部の開口量が少なくてサッシ引き戸を開いて開口部を開とした状態における室内における開放感が乏しく、更に通気量も少なく、また、室内から屋外を見た場合の視野も開口部の一部に残っている屋内外方向に重なった複数のサッシ引き戸が邪魔になって狭くなり、更に、開口部の開口量が少ないので大きな荷物の出し入れに当たっても、サッシ引き戸が邪魔になるという問題があった。
【０００４】
そこで、開口部を開閉するための複数のサッシ引き戸を設けた窓装置において、複数のサッシ引き戸を全開にした場合開口部を全開にできるようにした窓装置が特許文献１により提案されている。
【０００５】
この特許文献１に示された従来例にあっては、建物の外壁の屋外側に外壁の開口部の上縁部及び下縁部に沿って複数のサッシ走行レールを有する上下レール枠を設け、上下レール枠の端部をそれぞれ開口部の側端部より離れる方向に外壁に沿って連出させ、各サッシ走行レールの端部の開口部の側端部より離れる方向に外壁に沿って連出させた部分を収納用レールとし、各サッシ走行レールにそれぞれサッシ枠にガラス板のような透光板を取付けたサッシ引き戸をそれぞれ走行自在に取付けてある。そして、各サッシ引き戸を開口部と対向するように引き出すと共に隣接するサッシ引き戸の端部同士を重複させた状態で複数のサッシ引き戸により開口部を閉じ且つ各サッシ引き戸を収納用レールに移動させた状態で開口部を全開させるように構成してある。
【０００６】
このような構成の従来例は開口部を全開することができるので、室内から屋外を見た場合の視野が広くなって開放感があり、通気量を多く、また、サッシ引き戸に邪魔されることなく開口部から人が出入したり、物を出し入れしたりすることができる。
【０００７】
しかしながら、この従来例にあっては、下レール枠は上面に段差が形成してあり、また、複数のサッシ走行レール間にも巾の広い凹所が形成されたものとなっている。
【０００８】
ところで、近年、開口部の外側に建物に隣接してウッドデッキを形成し、室内からウッドデッキに開口部を介して出入できるようにして、ウッドデッキ側の空間を室内空間の延長のようにして使うことが行われるようになっている。この場合、上記従来例のように開口部を全開できるようにしたものにおいては、室内とウッドデッキとの空間的な連続性がより広がるものである。
【０００９】
しかしながら、室内から開口部を介してウッドデッキに出入りする場合、上記従来例にあっては、下レール枠の上面の段差やサッシ走行レール間の巾の広い凹所のために、段差や巾の広い凹所がスムーズな歩行の障害となり、また、車椅子などで移動する場合にも障害となる。更に、室内の床とウッドデッキの床とを同一レベルにしたとしても、下レール枠の上面に段差さ巾の広い凹所があるため、室内の床とウッドデッキの床との連続性が下レール枠の上面部分で途切れ、せっかく開口部を全開できるような構成にして室内空間とウッドデッキ側の空間との連続性を現出するようにしたにもかかわらず、下レール枠の上面部分においては下レール枠の上面に段差さ巾の広い凹所により室内の床とウッドデッキとの連続性が阻害されてしまい、室内とウッドデッキとの空間的な連続性が現出が十分ではないという問題があった。
【００１０】
また、上記特許文献１に示された従来例にあっては、網戸がなく、サッシ引き戸を全て収納して開口部を全開にした場合にどのようにして虫が室内に侵入しないようにするかということについては、考慮がなされていなかった。
【特許文献１】特開２００２−９７８４９号公報
【発明の開示】
【発明が解決しようとする課題】
【００１１】
本発明は上記の従来の問題点に鑑みて発明したものであって、簡単な構成で開口部を全開にでき、室内の開放感、通気量、視野を高めるとともに、開口部を介して室内から外に出入りする際に、下レール枠に足や車椅子が引っ掛かったりすることなくスムーズに出入でき、また、すべてのサッシ引き戸を収納用レールに収納して開口部を全開にした状態でも網戸により開口部を閉じて、開口部全体で通風を確保しながら室内への虫の侵入を防止することができる窓装置を提供することを課題とするものである。
【課題を解決するための手段】
【００１２】
上記課題を解決するために本発明に係る窓装置は、建物の外壁１の屋外側に外壁１の開口部２の上縁部及び下縁部に沿って上下レール枠３、４を設けると共に、上下レール枠３、４の端部をそれぞれ開口部２の側端部より離れる方向に外壁１に沿って連出させ、上下レール枠３、４にそれぞれ複数のサッシ走行レール５を上下レール枠３、４の長手方向に亘って設け、下レール枠４の複数のサッシ走行レール５間に小隙間６を介して床面用突部７を形成し、上記下レール枠４のサッシ走行レール５の上端、床面用突部７の上面をそれぞれ開口部２の下表面と略同一高さとし、開口部２の側端部より離れる方向に外壁１に沿って連出した各サッシ走行レール５の連出部分をそれぞれサッシ収納用レール８とし、各サッシ走行レール５にそれぞれサッシ枠１０にガラス板のような透光板１１を取付けたサッシ引き戸１２をそれぞれ走行自在に取付け、各サッシ引き戸１２を開口部２と対向するように引き出して複数のサッシ引き戸１２により開口部２を閉じ且つ各サッシ引き戸１２をサッシ収納用レール８に移動させた状態で開口部２を全開させるように構成して成ることを特徴とするものである。
【００１３】
このような構成とすることで、複数のサッシ引き戸１２を閉じて各サッシ走行レール５の端部のサッシ収納用レール８に収納することで、開口部２を全開することができるものである。また、各サッシ収納用レール８からそれぞれサッシ引き戸１２を引き出して複数のサッシ引き戸１２を開口部２と対向させると共に隣接するサッシ引き戸１２の端部同士を重複させることで複数のサッシ引き戸１２により開口部２を閉じることができるものである。そして、サッシ引き戸１２により開口部２を閉じた状態では通気はできないが採光ができる状態となる。また、下レール枠４の複数のサッシ走行レール５間に小隙間６を介して床面用突部７を形成し、上記下レール枠４のサッシ走行レール５の上端、床面用突部７の上面をそれぞれ開口部２の下表面と略同一高さとしてあることで、開口部２を全開した状態で開口部２から出入する際、バリアフリーの状態で出入でき、特に、開口部２の外側に建物に隣接してウッドデッキＷを形成し、室内からウッドデッキＷに開口部２を介して出入できるようにして、ウッドデッキＷ側の空間を室内空間の延長のようにして使うような場合、開口部２を全開した状態で開口部２を介して室内からウッドデッキＷに出入りするために、外壁１よりも屋外側に突出した下レール枠４上面を歩行する際、この部分に段差や巾広の隙間がないので、スムーズに歩行でき、また、外壁１よりも屋外側に突出した下レール枠４上面に段差や巾広の隙間が無いため室内の床とウッドデッキＷとの連続一体化が図れることになる。
【００１４】
また、上下レール枠３、４のサッシ走行レール５の外側に複数の網戸走行レール１３を設けると共に開口部２の側端部より離れる方向に外壁１に沿って連出した各網戸走行レール１３の連出部分をそれぞれ網戸収納用レール１４とし、下レール枠４に設けた網戸走行レール１３の上端とサッシ走行用レールの上端と略同一高さとし、各網戸走行レール１３にそれぞれ網戸１５を走行自在に取付け、各網戸１５を開口部２と対向するように引き出して複数の網戸１５により開口部２を閉じ且つ開口部２を全開するように各網戸１５を網戸収納用レール１４に収納自在とすることが好ましい。
【００１５】
このような構成とすることで、一部のサッシ引き戸１２をサッシ収納用レール８に収納し且つ他のサッシ引き戸１２を開口部２に残して開口部２の一部のみを開口した場合はもちろん、全てのサッシ引き戸１２をサッシ収納用レール８に収納して開口部２を全開した状態においても、網戸１５で開口部２の一部又は全部を閉じて、通気はできるが虫が侵入しないようにできるものであり、また、サッシ引き戸１２を全開した状態で網戸１５を全開して開口部２全体を開放したり、あるいは、網戸１５を全開状態にしてサッシ引き戸１２を全閉状態にしたりするというように、様々な使用形態が選択できる。
【００１６】
また、上下レール枠３、４の両端部をそれぞれ開口部２の側端部より離れる方向に外壁１に沿って連出させ、開口部２の両側端部よりそれぞれ離れる方向に外壁１に沿って連出した各サッシ走行レールの長手方向の両端部の連出部分をそれぞれサッシ収納用レール８ａ、８ｂとし、一方のサッシ収納用レール８ａに開口部２の片側半分を閉じることができる複数のサッシ引き戸１２を収納自在とすると共に他方のサッシ収納用レール８ｂに開口部２の他の片側半分を閉じることができる複数のサッシ引き戸１２を収納自在とすることが好ましい。
【００１７】
このような構成とすることで、両側のサッシ収納用レール８にそれぞれサッシ引き戸１２を収納することで、開口部２を全開することができ、また、両側のサッシ収納用レール８からそれぞれサッシ引き戸１２を引き出して開口部２を全閉することができるものである。このように開口部２を全開できるものでありながら、両側にサッシ収納用レール８を設けることで、開口部２の開口巾が広いものであっても、サッシ走行レール５の数をできるだけ少なくして開口部２を全開状態とすることが可能となる。そして、サッシ引き戸１２により開口部２を閉じた状態では通気はできないが採光ができる状態となる。また、下レール枠４の複数のサッシ走行レール５間に小隙間６を介して床面用突部７を形成し、上記下レール枠４のサッシ走行レール５の上端、床面用突部７の上面をそれぞれ開口部２の下表面と略同一高さとしてあることで、開口部２を全開した状態で開口部２から出入する際、バリアフリーの状態で出入でき、特に、開口部２の外側に建物に隣接してウッドデッキＷを形成し、室内からウッドデッキＷに開口部２を介して出入できるようにして、ウッドデッキＷ側の空間を室内空間の延長のようにして使うような場合、開口部２を全開した状態で開口部２を介して室内からウッドデッキＷに出入りするために、外壁１よりも屋外側に突出した下レール枠４上面を歩行する際、この部分に段差や巾広の隙間がないので、スムーズに歩行でき、また、外壁１よりも屋外側に突出した下レール枠４上面に段差や巾広の隙間が無いため室内の床とウッドデッキとの連続一体化が図れることになる。
【００１８】
また、上下レール枠３、４のサッシ走行レール５の外側に複数の網戸走行レールを設けると共に開口部２の両側端部より離れる方向に外壁１に沿って連出した各網戸走行レール１３の両端部の連出部分をそれぞれ網戸収納用レール１４とし、下レール枠４における網戸走行レール１３の上端とサッシ走行レール５の上端とを略同一高さとし、各網戸走行レールにそれぞれ網戸１５を走行自在に取付け、一方の網戸収納用レール１４に開口部２の片側半分を閉じることができる複数の網戸１５を収納自在とすると共に他方の網戸収納用レール１４に開口部２の他の片側半分を閉じることができる複数の網戸１５を収納自在とすることが好ましい。
【００１９】
このような構成とすることで、一部のサッシ引き戸１２を一方のサッシ収納用レール８又は両側のサッシ収納用レール８に収納し且つ他のサッシ引き戸１２を開口部２に残して開口部２の一部のみを開口した場合はもちろん、全てのサッシ引き戸１２を両側のサッシ収納用レール８に収納して開口部２を全開した状態においても、網戸１５で開口部２の一部又は全部を閉じて、通気はできるが虫が侵入しないようにできるものであり、また、サッシ引き戸１２を全開した状態で網戸１５を全開して開口部２全体を開放したり、あるいは、網戸１５を全開状態にしてサッシ引き戸１２を全閉状態にしたりするというように、様々な使用形態が選択できる。
【発明の効果】
【００２０】
本発明は、複数のサッシ引き戸を閉じて各サッシ走行レールの端部のサッシ収納用レールに収納すると開口部を全開することができ、室内の開放感、通気量、視野を高めるとともに大きな荷物の出し入れに当たってもサッシ引き戸に邪魔されることなく出し入れできるものであり、また、各サッシ収納用レールからそれぞれサッシ引き戸を引き出して複数のサッシ引き戸により開口部を閉じることができ、サッシ引き戸により開口部を閉じた状態では通気はできないが採光ができる状態とすることができるものであり、しかも、開口部を介して室内から外に出入りする際、特に開口部を全開にした状態で開口部を介して室内から外に出入りする際、下レール枠に足や車椅子が引っ掛かったりすることなくスムーズに出入できる。
【発明を実施するための最良の形態】
【００２１】
以下、本発明を添付図面に示す実施形態に基づいて説明する。
【００２２】
図１、図２には本発明の一実施形態が示してある。建物の外壁１には開口部２が形成してあり、外壁１には窓枠１７が取付けてある。この窓枠１７は全部又は一部が外壁１の外面側に位置するように取付けてあり、窓枠１７の外壁１の外面側に位置する部分は、大別して開口部２に対応した開口部側窓枠部１８と開口部２の一側端部よりも側方にずれ且つ外壁１の外面に沿った戸袋側枠部１９とに区分けされる。窓枠１７は両側枠２０、２１と上レール枠３、下レール枠４を枠組みして構成してある。
【００２３】
上レール枠３と下レール枠４とにはそれぞれ開口部２の上縁部及び下縁部に沿った複数列のサッシ走行レール５が設けてあり、各サッシ走行レール５の端部はそれぞれ開口部２の側端部より離れる方向に外壁１に沿って連出していて各連出部分がそれぞれサッシ収納用レール８となっている。つまり、サッシ収納用レール８は上レール枠３、下レール枠４の戸袋側枠部１９に設けてある。
【００２４】
また、下レール枠４の複数のサッシ走行レール５間には小隙間６を介して床面用突部７を形成してある。
【００２５】
更に、上下レール枠３、４のサッシ走行レール５の外側（屋外側）には複数の網戸走行レール１３がサッシ走行レール５と並列に設けてあり、各網戸走行レール１３の端部はそれぞれは開口部２の側端部より離れる方向に外壁１に沿って連出していて各網戸走行レール１３の連出部分がそれぞれ網戸収納用レール１４となっている。
【００２６】
そして、下レール枠４のサッシ走行レール５の上端、床面用突部７の上面、網戸走行レール１３の上端がそれぞれ開口部２の下表面と略同一高さとなっている。開口部２の下表面は床面と同じ（実施形態では床材の端面が開口部２の下表面を構成している）であり、これにより床面と開口部２の下表面と下レール枠４のサッシ走行レール５の上端、床面用突部７の上面、網戸走行レール１３の上端が略面一となって、いわゆる段差や巾の広い凹所の無い連続したバリアフリーの歩行面となっている。
【００２７】
窓枠１７には上記上下レール枠３、４よりも室内側において上レール枠３、下レール枠４間に開口縦枠部２２が形成してある。
【００２８】
図１に示すように、窓枠１７の一方の側枠２０の室内側の部分及び開口縦枠部２２を開口部２の両側部の屋外側における出隅部分に配設して取付けてある。また、上レール枠３、下レール枠４の開口部２に対応する部分は図２に示すように室内側に向けて取付け部３ａ、４ａが突設してあり、この取付け部３ａ、４ａを開口部２の上下の屋外側における出隅部分に配設して取付けてある。また、窓枠１７の他方の側枠２１は取付け金具（図示せず）を介して外壁１の外面に固着してある。
【００２９】
端部がサッシ収納用レール８となった複数列のサッシ走行レール５にはそれぞれサッシ枠１０にガラス板のような透光板１１を取付けたサッシ引き戸１２をそれぞれ走行自在に取付けてある。添付図面に示す実施形態においては２重ガラスの例を示しているが、１重であってもよいものである。また、透光板１１としては透明、半透明、不透明のいずれであってもよいが、透光性は有しているものが用いられ、室内に外光を取り入れることができるようになっている。
【００３０】
また、図１、図２に示す実施形態においては屋内外方向に２列に並設した２本のサッシ走行レール５にそれぞれ１枚ずつ合計２枚のサッシ引き戸１２を走行自在とした例が示してあるが、サッシ走行レール５の数、サッシ引き戸１２の数は上記のものにのみ限定されず、要は各サッシ引き戸１２を開口部２と対向するように引き出すと共に隣接するサッシ引き戸１２の端部同士を重複させた状態で複数のサッシ引き戸１２により開口部２を閉じることができ、また、各サッシ引き戸１２をサッシ収納用レール８に移動させた状態で開口部２を全開させることができるものであれば、サッシ走行レール５の数、サッシ引き戸１２の数は特に限定されるものではない。
【００３１】
また、同様に実施形態においては屋内外方向に２列に並設した２本の網戸走行レール１３にそれぞれ１枚ずつ合計２枚の網戸１５を走行自在とした例が示してあるが、網戸走行レール１３の数、網戸１５の数は上記のものにのみ限定されず、要は網戸走行レール１３はサッシ走行レール５と同じ本数で且つ網戸１５がサッシ引き戸１２と同じ枚数であり、更に、各網戸１５を開口部２と対向するように引き出すと共に隣接する網戸１５の端部同士を重複させた状態で複数の網戸１５により開口部２を閉じることができ、また、各網戸１５を網戸収納用レール１４に移動させた状態で開口部２を全開させることができるものであれば、網戸走行レール１３の数、網戸１５の数は特に限定されるものではない。
【００３２】
各サッシ引き戸１２を開口部２と対向するように引き出すと共に隣接するサッシ引き戸１２の端部（つまりサッシ枠１０の縦枠１０ａ部分）同士を重複させて複数のサッシ引き戸１２により開口部２を閉じた状態で、開口部２に対向した複数のサッシ引き戸１２のうち室内側から見て最も手前に位置するサッシ引き戸１２を最もサッシ収納用レール８側にずれて位置させ、室内側から見て最も手前に位置するサッシ引き戸１２のサッシ収納用レール８側の縦枠１０ａと、開口部２のサッシ収納用レール８側の開口縦枠部２２との水密を止水手段２５により保持するようになっている。また、各サッシ引き戸１２を開口部２と対向するように引き出すと共に隣接するサッシ引き戸１２の端部同士を重複させた状態で複数のサッシ引き戸１２により開口部２を閉じた状態で、隣接するサッシ引き戸１２の端部同士の重複部分におい止水手段２５により重複部分における水密性を確保するようになっている。
【００３３】
上記の構成の窓装置は複数のサッシ引き戸１２を閉じて各サッシ走行レール５の端部のサッシ収納用レール８に収納することで、開口部２にサッシ引き戸１２が殆ど位置しないように開口部２を全開することができ、また、各サッシ収納用レール８からそれぞれサッシ引き戸１２を引き出して複数のサッシ引き戸１２を開口部２と対向させると共に隣接するサッシ引き戸１２の端部（サッシ枠１０の端部の縦枠１０ａ）同士を重複させることで複数のサッシ引き戸１２により開口部２を閉じることができるものである。そして、サッシ引き戸１２により開口部２を閉じた状態では通気はできないが採光ができる状態となる。
【００３４】
ここで、開口部２を全巾にわたって開放する全開状態において、網戸１５を引き出して開口部２の全巾にわたって網戸１５を閉じるようにしてもよい。この場合には、開口部２の全巾にわたって通気ができると共に全開したにもかかわらず室内への虫の侵入を防止することができる。また、この場合には開口部２が全巾にわたって網戸１５により閉じられるので、日光は網戸１５を通して室内に差し込むことになり、開口部２の全巾にわたって室内に入る光を和らげることができる。
【００３５】
また、一部のサッシ引き戸１２をサッシ収納用レール８に収納し且つ他のサッシ引き戸１２を開口部２に残して開口部２の一部のみを開口した場合に一部の網戸１５を引き出して開口部２の一部のみが開口した部分を網戸１５で閉じることで、開口部２の一部のみを開口してこの部分から通気ができると共に虫は侵入しないようにできる。
【００３６】
また、網戸１５を全開状態にしてサッシ引き戸１２を全閉状態にすることもでき、この場合にはサッシ引き戸１２で開口部２を全閉状態にした状態で、網戸１５がないため、網戸１５に阻害されることなく光りを効率よく室内に透光でき、また、網戸１５が見えないためサッシ引き戸１２で開口部２を閉じた状態で室内から外を見た場合の視界が網戸１５で遮られないものであり、特に、冬季には網戸１５が必要でないので、このような使用形態ができるのは好ましい。
【００３７】
また、開口部２を全巾にわたって開放した全開状態において、網戸１５も全開にすると、開口部２を全巾にわたって完全に開放状態とすることができ、したがって、サッシ引き戸１２、網戸１５を設けたにもかかわらず、開口部２の全巾にわたって室内と外部とを連通状態にできる。この場合は、室内から屋外、屋外から室内に荷物の出し入れをしたり、人が出入したりするに当たって、広い開口を利用して容易にできる。
【００３８】
この際、床面と開口部２の下表面と下レール枠４の上面（つまり、サッシ走行レール５の上端、床面用突部７の上面、網戸走行レール１３の上端）が略面一となって、下レール枠４の上面が段差や巾の広い凹所の無い連続したバリアフリーの歩行面となっているので、上記のように開口部２を全開した状態で荷物の出し入れをしたり、出入したりする際、バリアフリーの状態で出入できるものである。
【００３９】
特に、図２のように開口部２の外側に建物に隣接してウッドデッキＷを形成して室内からウッドデッキＷに開口部２を介して出入できるようにすることが行われているが、この場合、ウッドデッキＷの上面を下レール枠４の上面と略同じ高さとして僅かな隙間を介して下レール枠４の上面と、開口部２の下表面と、室内の床面と略面一となるように形成することで、全巾にわたって開口した開口部２の屋外側に位置する下レール枠４を介して室内の床面とウッドデッキＷの床面とが連続した床のように構成され、ウッドデッキＷ側の空間が全巾にわたって開口した開口部２を介して室内空間の延長空間のようになり、開口部２を全開した状態で開口部２を介して室内からウッドデッキＷに出入りするために、外壁１よりも屋外側に突出した下レール枠４上面を歩行する際、この部分に段差や巾広の隙間がないので、スムーズに歩行でき、また、外壁１よりも屋外側に突出した下レール枠４上面に段差や巾広の隙間が無いため室内の床とウッドデッキとの連続一体化が図れることになる。
【００４０】
ここで、本発明においては下レール枠４の複数のサッシ走行レール５間に小隙間６を介して床面用突部７を形成してサッシ走行レール５間に巾広の凹所が形成されないようにしており、下レール枠４の網戸走行レール１３間には上記床面用突部７を設けていない。これは、サッシ引き戸１２に比べて網戸１５は屋内側の巾が短いため、隣接する網戸走行レール１３間の隙間が狭く、したがって、隣接する網戸走行レール１３間にサッシ走行レール５間のように巾広の凹所が形成されず、この巾の狭い隙間は歩行の際のさしたる障害にならないので添付図面に示す実施形態においては隣接する網戸走行レール１３間に床面用突部を設けてないが、必要に応じて網戸走行レール１３間にも床面用突部を設け、この床面用突部７の上面と網戸走行レール１３の上端とをほぼ同一高さとするようにしてもよいものである。
【００４１】
次に、本発明の他の実施形態を図３に基づいて説明する。
【００４２】
前述の実施形態では、建物の外壁１の屋外側に外壁１の開口部２の上縁部及び下縁部に沿って上下レール枠３、４を設けると共に、上下レール枠３、４の一方の端部を開口部２の一側端部より離れる方向に外壁１に沿って連出させた例を示したが、本実施形態では、上下レール枠３、４の両端部をそれぞれ開口部２の側端部より離れる方向に外壁１に沿って連出させた点が異なり、他の構成は同じなので、重複する説明は省略し、異なる点についてのみ説明する。
【００４３】
すなわち図３に示すように、上下レール枠３、４の両端部をそれぞれ建物の開口部２の両側端部より離れる方向に外壁１に沿って連出させてあり、この上下レール枠３、４にそれぞれ複数のサッシ走行レール５を上下レール枠３、４の長手方向に亘って設けてあって、開口部２の両側端部よりそれぞれ離れる方向に外壁１に沿って連出した上記各サッシ走行レール５の長手方向の両端部の連出部分をそれぞれサッシ収納用レール８ａ、８ｂとしてある。一方のサッシ収納用レール８ａには開口部２の片側半分を閉じることができる複数のサッシ引き戸１２を収納自在としてあり、また、他方のサッシ収納用レール８ｂに開口部２の他の片側半分を閉じることができる複数のサッシ引き戸１２を収納自在としてある。
【００４４】
また、図３の実施形態では、上下レール枠３、４のサッシ走行レール５の外側に更に複数の網戸走行レール１３を設けてあり、この網戸走行レール１３はサッシ走行レール５と同じ長さであって、網戸走行レール１３の両端部の開口部２の両側端部より離れる方向に外壁１に沿って連出した連出部分をそれぞれ網戸収納用レール１４としてある。各網戸走行レール１４にはそれぞれ網戸１５を走行自在に取付けてあり、一方の網戸収納用レール１４に開口部２の片側半分を閉じることができる複数の網戸１５を収納自在としてあり、また、他方の網戸収納用レール１４に開口部２の他の片側半分を閉じることができる複数の網戸１５を収納自在としてある。
【００４５】
本実施形態においては、両側のサッシ収納用レール８にそれぞれサッシ引き戸１２を収納することで、開口部２を全開することができる。この場合、両側の網戸収納用レール１４にそれぞれ網戸１５を収納した場合には、開口部２を全巾にわたって完全に開放状態とすることができ、したがって、サッシ引き戸１２、網戸１５を設けたにもかかわらず、開口部２の全巾にわたって室内と外部とを連通状態にできる。
【００４６】
また、両側のサッシ収納用レール８にそれぞれサッシ引き戸１２を収納した状態で、両側の網戸収納用レール１４からそれぞれ網戸１５を引き出して開口部２を網戸１５で閉じた場合には、開口部２の全巾にわたって虫の侵入がない状態で通気ができることになる。また、この場合には開口部２が全巾にわたって網戸１５により閉じられるので、日光は網戸１５を通して室内に差し込むことになり、開口部２の全巾にわたって室内に入る光を和らげることができる。
【００４７】
また、両側のサッシ収納用レール８からそれぞれサッシ引き戸１２を引き出して開口部２を全閉することができる。
【００４８】
このように、本実施形態においても、開口部２を全開したり、全閉したりできるようにしたにもかかわらず、両側にサッシ収納用レール８を設けることで、開口部２の開口巾が広いものであっても、サッシ走行レール５の数をできるだけ少なくして開口部２を全開状態とすることが可能となる。同様に、両側に網戸収納用レール１４を設けることで、開口部２の開口巾が広いものであっても、網戸走行レール１３の数をできるだけ少なくして開口部２を全開状態とすることが可能となる。
【００４９】
本実施形態においても、下レール枠４の複数のサッシ走行レール５間に小隙間６を介して床面用突部７を形成し、上記下レール枠４のサッシ走行レール５の上端、床面用突部７の上面をそれぞれ開口部２の下表面と略同一高さとしてあり、前述の実施形態と同様に、開口部２を全開した状態で開口部２から出入する際、バリアフリーの状態で出入でき、特に、開口部２の外側に建物に隣接してウッドデッキＷを形成し、室内からウッドデッキＷに開口部２を介して出入できるようにして、ウッドデッキＷ側の空間を室内空間の延長のようにして使うような場合、開口部２を全開した状態で開口部２を介して室内からウッドデッキＷに出入りするために、外壁１よりも屋外側に突出した下レール枠４上面を歩行する際、この部分に段差や巾広の隙間がないので、スムーズに歩行でき、また、外壁１よりも屋外側に突出した下レール枠４上面に段差や巾広の隙間が無いため室内の床とウッドデッキＷとの連続一体化が図れることになる。
【００５０】
ところで、上記各実施形態においては、開口部２を全閉した状態ではクレッセントのようなロック手段２８により隣接するサッシ引き戸１２の端部同士を連結してロックするものであり、また、室内側から見て最も手前に位置するサッシ引き戸１２も開口縦枠部２２にロック手段２８によりロックするものである。もちろんロック手段２８としてはクレッセントにのみ限定されず、他の種々のロック手段が採用できる。
【００５１】
また、上記各実施形態においては、上下レール枠３、４にサッシ走行レール５に並設して網戸走行レール１３を設けた例を示したが、上下レール枠３、４にサッシ走行レール５を設けないものであってもよい。
【００５２】
また、図示を省略しているが、上記各実施形態において、必要に応じて下レール枠４を上下高さ寸法調整自在な支持脚により支持するようにしてもよい。この支持脚は下端部のベース部を屋外の地面（コンクリート床等）に設置し、上端部を下レール枠４の下面部に固着して取付けてあり、下レール枠４にかかる荷重を支持して下レール枠４が下方に撓まないようにする。
【図面の簡単な説明】
【００５３】
【図１】本発明の一実施形態の平断面図である。
【図２】同上の縦断面図である。
【図３】本発明の他の実施形態の平断面図である。
【符号の説明】
【００５４】
１  外壁
２  開口部
３  上レール枠
４  下レール枠
５  サッシ走行レール
６  小隙間
７  床面用突部
８  サッシ収納用レール
１０  サッシ枠
１１  透光板
１２  サッシ引き戸
１３  網戸走行レール
１４  網戸収納用レール
１５  網戸
【図１】
2008038477.tif 000003
【図２】
2008038477.tif 000004
【図３】
2008038477.tif 000005